(57)【特許請求の範囲】
【請求項１】
熱源用湯水を加熱手段にて加熱して、放熱部を通過させた後、前記加熱手段に戻すように循環させる熱源用湯水循環手段と、浴槽の湯水を前記放熱部を通過させるように循環させる浴槽湯水循環手段とが設けられて、前記放熱部において、熱源用湯水から浴槽湯水に対して放熱させることにより、浴槽湯水を加熱するように構成され、
前記加熱手段の運転を制御する制御手段が設けられた風呂装置であって、
前記加熱手段が、ヒートポンプ式加熱部と補助加熱部にて構成され、
外気の温度を検出する外気温検出手段と、浴槽湯水の温度を検出する浴槽温検出手段が設けられ、
前記制御手段に、外気温度と浴槽湯水温度とから、前記ヒートポンプ式加熱部により浴槽湯水を加熱する加熱効率が前記補助加熱部により浴槽湯水を加熱する加熱効率を上回るか否かを判別するための効率可否判別条件、並びに、加熱開始時の外気温度及び加熱開始時の浴槽湯水温度から、設定量の浴槽の湯水を追焚き設定温度にまで追焚きすることを対象としてヒートポンプ式加熱部にて加熱した時の追焚き所要時間が、加熱開始時の浴槽湯水の温度が低いほど長くなるように設定される沸き上げ期待時間よりも短くなるか否かを判別するための沸き上げ時間可否判別条件が記憶され、
前記制御手段は、前記外気温検出手段及び前記浴槽温検出手段夫々の検出情報と前記効率可否判別条件及び前記沸き上げ時間可否判別条件とに基づいて、前記ヒートポンプ式加熱部による前記加熱効率が前記補助加熱部による前記加熱効率を上回りかつ前記追焚き所要時間が前記沸き上げ期待時間よりも短くなると判別したときは前記ヒートポンプ式加熱部のみを運転し、且つ、前記ヒートポンプ式加熱部による前記加熱効率が前記補助加熱部による前記加熱効率を上回らないと判別したとき、又は、前記追焚き所要時間が前記沸き上げ期待時間よりも短くならないと判別したときは前記補助加熱部のみを運転する加熱部自動選択運転を実行するように構成されている風呂装置。
【請求項２】
前記制御手段は、前記加熱部自動選択運転と、前記補助加熱部のみを優先運転して浴槽湯水を加熱する補助加熱部単独運転とを、択一的に実行可能なように構成され、
前記制御手段に、前記加熱部自動選択運転と前記補助加熱部単独運転のいずれを実行するかを指令する指令手段が設けられている請求項１記載の風呂装置。
【発明の詳細な説明】
【０００１】
【発明の属する技術分野】
本発明は、熱源用湯水を加熱手段にて加熱して、放熱部を通過させた後、前記加熱手段に戻すように循環させる熱源用湯水循環手段と、浴槽の湯水を前記放熱部を通過させるように循環させる浴槽湯水循環手段とが設けられて、前記放熱部において、熱源用湯水から浴槽湯水に対して放熱させることにより、浴槽湯水を加熱するように構成され、
前記加熱手段の運転を制御する制御手段が設けられた風呂装置に関する。
【０００２】
【従来の技術】
かかる風呂装置は、熱源用湯水循環手段によって、熱源用湯水を加熱手段にて加熱して、放熱部を通過させた後、加熱手段に戻すように循環させると共に、浴槽湯水循環手段によって、浴槽の湯水を放熱部を通過させるように循環させて、放熱部において、熱源用湯水から浴槽湯水に対して放熱させることにより、浴槽湯水を加熱する、所謂、風呂の追焚きするものである。
従来は、加熱手段を、電気ヒータを熱源とする電気ヒータ式加熱部にて構成していた（例えば、特開平９−８９３６９号公報参照）。
【０００３】
【発明が解決しようとする課題】
しかしながら、従来の風呂装置では、電気ヒータを熱源とする電気ヒータ式加熱部を用いているために、電気ヒータに供給する電力に対して得られる仕事量が少なく、装置としての加熱効率が低いものとなっていた。尚、加熱効率とは、機器の性能（加熱能力）を機器に入力したエネルギー量で割った値にて示される。
そこで、近年、装置の加熱効率を向上すべく、外気から熱を回収してその回収した熱を利用して加熱するヒートポンプ式加熱部を加熱手段として用いることが考えられている。ところで、ヒートポンプ式加熱部にて得られる熱量は外気温度や浴槽湯水温度などによって変化することから、ヒートポンプ式加熱部の加熱効率は外気温度や浴槽湯水温度によって変化するので、外気温度や浴槽湯水温度によっては、ヒートポンプ式加熱部の加熱効率が電気ヒータ式加熱部の加熱効率よりも低くなる場合がある。
従って、加熱効率が高いと考えられるヒートポンプ式加熱部を加熱手段として用いるとしても、外気温度や浴槽湯水温度によっては、必ずしも加熱効率の高い追焚きを行えるとは限らない。
【０００４】
本発明は、かかる実情に鑑みてなされたものであり、その目的は、外気温度及び浴槽湯水温度にかかわらず加熱効率の高い追焚きを行える風呂装置を提供することにある。
【０００５】
【課題を解決するための手段】
〔請求項１記載の発明〕
請求項１に記載の特徴構成は、前記加熱手段が、ヒートポンプ式加熱部と補助加熱部にて構成され、
外気の温度を検出する外気温検出手段と、浴槽湯水の温度を検出する浴槽温検出手段が設けられ、
前記制御手段に、外気温度と浴槽湯水温度とから、前記ヒートポンプ式加熱部により浴槽湯水を加熱する加熱効率が前記補助加熱部により浴槽湯水を加熱する加熱効率を上回るか否かを判別するための効率可否判別条件、並びに、加熱開始時の外気温度及び加熱開始時の浴槽湯水温度から、設定量の浴槽の湯水を追焚き設定温度にまで追焚きすることを対象としてヒートポンプ式加熱部にて加熱した時の追焚き所要時間が、加熱開始時の浴槽湯水の温度が低いほど長くなるように設定される沸き上げ期待時間よりも短くなるか否かを判別するための沸き上げ時間可否判別条件が記憶され、
前記制御手段は、前記外気温検出手段及び前記浴槽温検出手段夫々の検出情報と前記効率可否判別条件及び前記沸き上げ時間可否判別条件とに基づいて、前記ヒートポンプ式加熱部による前記加熱効率が前記補助加熱部による前記加熱効率を上回りかつ前記追焚き所要時間が前記沸き上げ期待時間よりも短くなると判別したときは前記ヒートポンプ式加熱部のみを運転し、且つ、前記ヒートポンプ式加熱部による前記加熱効率が前記補助加熱部による前記加熱効率を上回らないと判別したとき、又は、前記追焚き所要時間が前記沸き上げ期待時間よりも短くならないと判別したときは前記補助加熱部のみを運転する加熱部自動選択運転を実行するように構成されていることにある。
請求項１に記載の特徴構成によれば、加熱手段が、ヒートポンプ式加熱部と、電気ヒータ又はバーナなどを熱源として備える補助加熱部とから構成されている。
そして、制御手段には、外気温度と浴槽湯水温度とから、ヒートポンプ式加熱部により浴槽湯水を加熱する加熱効率が補助加熱部により浴槽湯水を加熱する加熱効率を上回るか否かを判別するための効率可否判別条件が記憶され、制御手段は、外気温検出手段及び浴槽温検出手段夫々の検出情報と効率可否判別条件とに基づいて、ヒートポンプ式加熱部による加熱効率が補助加熱部による加熱効率を上回るか否かを判別して、その判別結果に基づいて、ヒートポンプ式加熱部による加熱効率が補助加熱部による加熱効率を上回るときは、ヒートポンプ式加熱部のみを運転し、且つ、ヒートポンプ式加熱部による加熱効率が補助加熱部による加熱効率以下のときは、補助加熱部のみを運転する加熱部自動選択運転を実行する。
つまり、外気温度と浴槽湯水温度によって、ヒートポンプ式加熱部と補助加熱部とで加熱効率がどちらが高いか判別して、ヒートポンプ式加熱部の加熱効率が補助加熱部の加熱効率よりも高いときは、ヒートポンプ式加熱部のみを運転し、ヒートポンプ式加熱部の加熱効率が補助加熱部の加熱効率以下のときは、補助加熱部のみを運転するようにしてある。
従って、外気温度及び浴槽湯水温度にかかわらず加熱効率の高い追焚きを行える風呂装置を提供することができるようになった。
【０００６】
しかも、請求項１に記載の特徴構成によれば、制御手段には、ヒートポンプ式加熱部による加熱が、加熱開始時の浴槽湯水の温度が低いほど長くなるように設定される沸き上げ期待時間を満足するか否かを、加熱開始時の浴槽湯水温度と外気温度とから判別するための沸き上げ時間可否判別条件が記憶され、制御手段は、浴槽温検出手段による加熱開始時の検出浴槽湯水温度及び外気温検出手段による検出外気温度と沸き上げ時間可否判別条件とに基づいて、ヒートポンプ式加熱部による加熱により浴槽の沸き上げに要する沸き上げ所要時間（追焚き所要時間に相当する）が沸き上げ期待時間を下回るか否かを判別する。
そして、制御手段は、ヒートポンプ式加熱部による加熱効率が補助加熱部による加熱効率を上回り、且つ、ヒートポンプ式加熱部による沸き上げ所要時間が沸き上げ期待時間を下回ると判別したときに、ヒートポンプ式加熱部のみを運転し、それ以外のときは、補助加熱部のみを運転するのである。
つまり、加熱開始時の浴槽湯水温度と外気温度によっては、ヒートポンプ式加熱部による加熱では、加熱効率は補助加熱部よりも高くなるものの、加熱能力が小さくなって、沸き上げ所要時間が使用者が期待する沸き上げ期待時間よりも長くなる場合があるので、そのようなときは、加熱能力がヒートポンプ式加熱部よりも大きくて、沸き上げ所要時間を短縮できる補助加熱部の方を運転するのである。
従って、外気温度及び浴槽湯水温度にかかわらず加熱効率が高くなり、しかも、使用者の沸き上げ期待時間を満足するように追焚きを行える風呂装置を提供することができるようになった。
【０００７】
〔請求項２記載の発明〕
請求項２に記載の特徴構成は、前記制御手段は、前記加熱部自動選択運転と、前記補助加熱部のみを優先運転して浴槽湯水を加熱する補助加熱部単独運転とを、択一的に実行可能なように構成され、
前記制御手段に、前記加熱部自動選択運転と前記補助加熱部単独運転のいずれを実行するかを指令する指令手段が設けられていることにある。
請求項２に記載の特徴構成によれば、制御手段は、指令手段からの指令情報に基づいて、加熱部自動選択運転が指令されると、加熱部自動選択運転を実行し、補助加熱部単独運転が指令されると、補助加熱部のみを優先運転して浴槽湯水を加熱する補助加熱部単独運転する。
つまり、ヒートポンプ式加熱部の加熱効率が補助加熱部の加熱効率よりも高い外気温度と浴槽湯水温度のときは、ヒートポンプ式加熱部により加熱効率の高い追焚きを行えるものの、例えば、使用者が、加熱効率を犠牲にしても沸き上げ所要時間を短縮したいようなときには、指令手段によって指令すると、加熱能力が大きい補助加熱部を優先して運転する補助加熱部単独運転を実行させることができるのである。
従って、使用者の使い勝手性を一層向上することができるようになった。
【０００８】
【発明の実施の形態】
本発明にかかる風呂装置をエンジンヒートポンプ式冷暖房給湯システムに適用した例を図面に基づいて説明する。
このエンジンヒートポンプ式冷暖房給湯システムは、図１および図２に示すように、貯湯タンク１内に温度成層を形成しながら貯湯したり、貯湯タンク１内に貯湯された湯水を給湯したり、湯水を加熱すると共にその加熱湯水から外部放熱部２にて浴槽湯水に対して放熱させて浴槽湯水を加熱する貯湯ユニットＡと、空調対象空間の空調運転と湯水を加熱するための加熱運転を実行可能なヒートポンプ式加熱部としてのエンジンヒートポンプ式冷暖房装置Ｂとから構成されている。
【０００９】
前記貯湯ユニットＡは、この貯湯ユニットＡの運転を制御する貯湯ユニット制御部Ｃ、貯湯タンク１、湯水を循環するための循環路３、循環路３を通流する湯水を加熱する加熱手段４、循環路３を通流する湯水と熱交換して放熱する外部放熱部２などから構成され、循環ポンプＰ１を作動させて湯水（熱源用湯水に相当する）を循環路３にて循環しながら、加熱手段４にて加熱して、外部放熱部２にて放熱するようにしている。
【００１０】
前記貯湯タンク１内には、その貯湯量が給湯用貯湯量としての最低確保量以上であるかを、その湯温を検出することにより検出する最上部サーミスタＳ１、その貯湯量が少以上であるかを、その湯温を検出することにより検出する上部サーミスタＳ２、その貯湯量が中以上であるかを、その湯温を検出することにより検出する中部サーミスタＳ３、その貯湯量が満以上であるかを、その湯温を検出することにより検出する底部サーミスタＳ４が設けられている。
複数のサーミスタの設置位置は、貯湯タンク１の上位から、最上部サーミスタＳ１、上部サーミスタＳ２、中部サーミスタＳ３、底部サーミスタＳ４の順になっている。
そして、使用者の必要に応じて貯湯リモコンＲ２などにより、貯湯タンク１内の目標貯湯量を、「少」、「中」、「満」の３つの貯湯量からひとつを選択できるようにしている。
【００１１】
前記貯湯タンク１には、その底部から貯湯タンク１に水道水圧を用いて給水する給水路５が接続され、その上部から風呂場や台所などに給湯するための給湯路６が接続され、風呂場や台所などで使用された量だけの水を給水路５から貯湯タンク１に給水するように構成されている。
前記給湯路６には、給水路５から分岐された混合用給水路７が接続され、その接続箇所に給湯路６からの湯水と混合用給水路７からの水との混合比を調整自在なミキシングバルブ８が設けられている。
前記給水路５と混合用給水路７との分岐箇所には、給水温度を検出する給水サーミスタ９が設けられ、給水路５および混合用給水路７の夫々には、逆止弁１０が設けられている。
ちなみに、給湯路６には、オーバーフロー路１１が接続され、そのオーバーフロー路１１にエアー抜き弁１２が設けられている。
【００１２】
また、給湯路６におけるミキシングバルブ８よりも上流側には、貯湯タンク１の上部から給湯路６に給湯された湯水の温度を検出する貯湯出口サーミスタ１３が設けられ、給湯路６におけるミキシングバルブ８よりも下流側には、ミキシングバルブ８にて混合された湯水の温度を検出するミキシングサーミスタ１４、給湯路６の湯水の流量を調整する給湯用水比例バルブ１５が設けられている。
【００１３】
前記給湯用水比例バルブ１５よりも下流側の給湯路６が、台所や洗面所などの図外の給湯栓に給湯する一般給湯路１６と、図外の浴槽に湯水を供給するための湯張り路１７とに分岐され、湯張り路１７が浴槽からの風呂戻り路１８に接続され、風呂戻り路１８および風呂往き路１９の両路を通して浴槽に湯水を供給するようにしている。
前記一般給湯路１６には、一般給湯路１６を通流する湯水の流量を検出する給湯流量センサ２０が設けられ、湯張り路１７には、湯張り路１７を通流する湯水の流量を検出する湯張り流量センサ２１、湯張り電磁弁２２、バキュームブレーカ２３、湯張り逆止弁２４が上流側から順に設けられている。
【００１４】
そして、一般給湯路１６に給湯するときには、給湯設定温度、貯湯出口サーミスタ１３および給水サーミスタ９の検出情報に基づいて、給湯する湯水の温度が給湯設定温度になるようにミキシングバルブ８の開度を調整するとともに、ミキシングサーミスタ１４の検出情報に基づいて、その検出温度と給湯設定温度との偏差に基づいてミキシングバルブ８の開度を微調整することにより、給湯設定温度の湯水を給湯するように構成されている。
また、浴槽に湯張りするときには、湯張り電磁弁２２を開弁させ、ミキシングバブル８にて湯張り設定温度に調整された湯水を風呂戻り路１８および風呂往き路１９の両路から浴槽に供給し、浴槽内に湯張り設定水位にまで湯水が供給されると、湯張り電磁弁２２を閉弁させて浴槽への湯張りを行うように構成されている。
給湯操作手段Ｇが、貯湯出口サーミスタ１３、給水サーミスタ９、ミキシングバルブ８、ミキシングサーミスタ１４、および、湯張り電磁弁２２などにより構成されている。
【００１５】
前記循環路３と貯湯タンク１とが、循環路３を通流する湯水を貯湯タンク１内に戻す、または、貯湯タンク１内の湯水を循環路３に取り出すために、貯湯タンク１の上部１箇所と底部２箇所の合計３箇所で連通接続されている。
具体的に説明すると、貯湯タンク１の上部には、循環路３と貯湯タンク１とを接続する上部接続路２５が給湯路６の上流側を介して連通接続され、貯湯タンク１の底部には、循環路３を通流する湯水を給水路５の下流側を介して貯湯タンク１内の底部に戻す戻し路２６と、貯湯タンク１内の底部の湯水を循環路３に取り出す取り出し路２７とが連通接続されている。
【００１６】
そして、上部接続路２５には、上部開閉弁２８が設けられ、戻し路２６には、戻し開閉弁２９が設けられ、上部開閉弁２８を開弁させることによって、循環路３を通流する湯水を貯湯タンク１内の上部に供給したり、貯湯タンク１内の上部の湯水を循環路３に取り出したりするようにし、戻し開閉弁２９を開弁させることによって、循環路３を通流する湯水を貯湯タンク１内の底部に戻すことができるようにしている。
ちなみに、取り出し路２７には、貯湯タンク１内の湯水を排水するための排水路３０が接続され、その排水路３０の途中部には、安全弁３１と手動バルブ３２とが並列に接続されている。
【００１７】
前記加熱手段４は、エンジンヒートポンプ式冷暖房装置Ｂによる冷媒を供給して湯水を加熱するヒーポン冷媒利用加熱部３３と、エンジンヒートポンプ式冷暖房装置Ｂのエンジン排熱を回収した冷却水を供給して湯水を加熱するエンジン排熱利用式加熱部３４と、バーナ３６の燃焼により湯水を加熱する補助加熱部３５とから構成されている。
そして、循環路３の湯水の循環方向において上流側から順に、ヒーポン冷媒利用加熱部３３、エンジン排熱利用式加熱部３４、補助加熱部３５が設けられている。
【００１８】
前記補助加熱部３５は、ガス燃焼式のバーナ３６およびこのバーナ３６に燃焼用空気を供給するファン３７などが設けられ、バーナ３６の燃焼により循環路３を通流する湯水を加熱するように構成されている。
前記バーナ３６に燃料ガスを供給する燃料供給路３８には、上流側から、ガスセフティ弁３９、ガス比例弁４０、ガスメイン弁４１の順に設けられ、また、補助加熱部３５には、補助加熱部３５に通流する湯水の流量を検出する水量センサ６４が設けられている。
ちなみに、補助加熱部３５は、水量センサ６４にて設定量以上の水量が検出されると、バーナ３６の燃焼を開始し、入り温度サーミスタ６１および水量センサ６４の検出情報に基づいて、ファン３７の回転速度およびガス比例弁４０の開度を調整して、補助加熱部３５にて加熱した湯水の温度を調整するように構成されている。
【００１９】
前記外部放熱部２は、循環路３を通流する湯水（熱源用湯水に相当する）と暖房用の熱媒としての温水とを熱交換する暖房用放熱部４２と、循環路３を通流する湯水（熱源用湯水に相当する）と浴槽内の湯水とを熱交換して追焚きする風呂用放熱部４３とから構成されている。
そして、循環路３が、暖房用放熱部４２を備えた暖房用循環路３ａと、風呂用放熱部４３を備えた風呂用循環路３ｂとに分岐され、暖房用放熱部４２と風呂用放熱部４３とが並列に接続されている。
また、暖房用循環路３ａには、暖房用放熱部４２よりも湯水の循環方向の上流側に暖房用開閉弁４４が設けられ、風呂用循環路３ｂには、風呂用放熱部４３よりも湯水の循環方向の上流側に風呂用開閉弁４５が設けられている。
【００２０】
前記暖房用放熱部４２は、暖房ポンプＰ２を作動させることにより、暖房戻り路４６および暖房往き路４７を通して循環する熱媒を循環路３を通流する湯水にて加熱するように構成されている。
そして、暖房戻り路４６には、熱媒の循環方向の上流側から順に、暖房戻り路４６の熱媒の温度を検出する暖房戻りサーミスタ４８、補給水タンク４９、暖房ポンプＰ２が設けられ、暖房往き路４７には、暖房往き路４７の熱媒の温度を検出する暖房往きサーミスタ５０が設けられ、暖房操作手段Ｊが、暖房戻りサーミスタ４８や暖房ポンプＰ２などにより構成されている。
【００２１】
前記補給水タンク４９には、水位の上限を検出する上限センサ５１と下限を検出する下限センサ５２とが設けられ、補給水タンク４９に給水するためのタンク給水路５３が接続され、そのタンク給水路５３には、補給水電磁弁５４が設けられている。
また、暖房戻り路４６からの熱媒を暖房用放熱部４２を迂回して暖房往き路４７に供給する暖房バイパス路５５が設けられている。
【００２２】
前記風呂用放熱部４３は、風呂ポンプＰ３を作動させることにより、風呂戻り路１８および風呂往き路１９を通して循環する浴槽内の湯水を循環路３を通流する湯水にて加熱するように構成されている。従って、浴槽湯水循環手段Ｈが、風呂戻り路１８、風呂往き路１９および風呂ポンプＰ３にて構成されている。
前記風呂戻り路１８には、浴槽内の湯水の循環方向の上流側から順に、浴槽内の湯水の水位を検出する水位センサ５６、風呂戻り路１８の浴槽湯水の温度を検出する風呂戻りサーミスタ（浴槽温検出手段に相当する）５７、二方弁５８、風呂ポンプＰ３、風呂水流スイッチ５９が設けられ、風呂ポンプＰ３を作動させて、浴槽内の湯水を風呂戻り路１８および風呂往き路１９にて循環させながら、風呂用放熱部４３にて加熱しながら追焚きするように構成されている。
【００２３】
前記循環路３には、湯水の循環方向において取り出し路２７との接続箇所よりも上流側に、取り出し路２７を通して貯湯タンク１内の湯水を循環路３に取り出すための取り出し開閉弁６０が設けられ、エンジン排熱利用式加熱部３４と補助加熱部３５との間に、補助加熱部３５に通流する湯水の温度を検出する入り温度サーミスタ６１、循環路３を通流する湯水の循環流量を検出する循環流量センサ６２、循環ポンプＰ１、補助加熱部３５への湯水の通流を断続する補助用断続開閉弁６３が設けられている。
また、循環路３における補助加熱部３５と上部接続路２５との接続箇所との間には、循環路３を通流する湯水の循環流量を調整する循環用水比例バルブ６５、加熱手段４にて加熱された後の循環路３の湯水の温度を検出する貯湯サーミスタ６６が設けられている。
【００２４】
また、前記循環路３には、取り出し開閉弁６０よりも湯水の循環方向の上流側と、ヒーポン冷媒利用加熱部３３とエンジン排熱利用式加熱部３４との間をバイパスするヒートポンプバイパス路６７が設けられ、このヒートポンプバイパス路６７に設けられたヒートポンプバイパス開閉弁６９を開弁させて、ヒートポンプバイパス路６７に湯水を通流させて、ヒーポン冷媒利用加熱部３３を迂回して湯水を循環させるようにしている。
また、補助加熱部３５を迂回させて湯水を循環させるための補助用バイパス路６８が、循環路３において、循環ポンプＰ１と補助用断続開閉弁６３との間と補助加熱部３５と循環用水比例バルブ６５との間をバイパスするように接続され、この補助用バイパス路６８には、補助バイパス開閉弁７０が設けられている。
【００２５】
このようにして、取り出し開閉弁６０、上部開閉弁２８、戻し開閉弁２９、補助用断続開閉弁６３、ヒートポンプバイパス開閉弁６９、補助バイパス開閉弁７０夫々の開閉弁を開閉制御することにより、貯湯タンク１の底部から取り出した湯水を加熱手段４にて加熱したのち、その温水を貯湯タンク１の上部に戻したり、湯水を加熱手段４にて加熱して、外部放熱部２を通過させた後、加熱手段４に戻すように、循環路３を循環させるように構成されている。
つまり、熱源用湯水循環手段Ｅが、循環路３、循環ポンプＰ１、および、取り出し開閉弁６０、上部開閉弁２８、戻し開閉弁２９、補助用断続開閉弁６３、ヒートポンプバイパス開閉弁６９、補助バイパス開閉弁７０などの複数の開閉弁により構成されている。
【００２６】
そして、循環流量センサ６２の検出情報に基づいて、循環用水比例バルブ６５の開度を調整することにより循環路３における循環流量を調整するように構成され、貯湯サーミスタ６６の検出情報に基づいて、循環路３における循環流量や補助加熱部３５における加熱量などを調整することにより加熱手段４にて加熱された後の循環路３を通流する湯水の温度を調整自在に構成され、循環調整手段Ｆが、循環流量センサ６２、循環用水比例バルブ６５、貯湯サーミスタ６６などにより構成されている。
【００２７】
前記エンジンヒートポンプ式冷暖房装置Ｂは、図２に示すように、複数の室内機７１、室外機７２、室内機７１および室外機７２の運転を制御するヒートポンプ運転制御部Ｄとから構成され、複数の空調対象空間（例えば、各部屋）を空調することができるように構成されている。
また、室内機７１と室外機７２と貯湯ユニットＡにおけるヒーポン冷媒利用加熱部３３とは、冷媒配管７３で接続され、エンジンヒートポンプ式冷暖房装置Ａにおける冷媒をヒーポン冷媒利用加熱部３３に供給できるように構成されている。
【００２８】
前記複数の室内機７１の夫々には、電子膨張弁７４、室内熱交換器７５、その室内熱交換器７５で温調した空気を空調対象空間へ送出する室内空調用送風機７６が備えられ、室内熱交換器７５にて凝縮された冷媒の温度を検出する冷媒サーミスタ８９の検出情報に基づいて、電子膨張弁７４の開度を調整するようにしている。
前記室外機７２には、ガスエンジン７７、圧縮機７８、アキュムレータ７９、四方弁８０、室外熱交換器８１、その室外熱交換器に対し外気を通風する室外空調用送風機８２が備えられ、ガスエンジン７７の排熱を外部に放熱するためのラジエーター８３、ラジエーター用送風機８４、および、外気温を検出する外気温検出手段としての外気温センサ９１も備えられている。
ヒートポンプ運転手段Ｋが、電子膨張弁７４、室内空調用送風機７６、ガスエンジン７７、圧縮機７８、四方弁８０、室外空調用送風機８２などにより構成されている。
【００２９】
また、ガスエンジン７７の冷却用の冷却水をラジエーター８３との間で循環させる冷却水路８５が設けられ、この冷却水路８５にラジエーター用ポンプＰ４が設けられ、ガスエンジン排熱を回収した冷却水を、加熱供給路９０を通してエンジン排熱利用式加熱部３４に供給する加熱状態とラジエーター８３に供給して排熱される排熱状態とに切り換え自在な排熱切換機構８６が設けられている。
冷却水循環手段Ｌが、ラジエーター用ポンプＰ４、排熱切換機構８６、ラジエーター用送風機８４などにより構成されている。
【００３０】
そして、エンジンヒートポンプ式冷暖房装置Ｂは、空調リモコンＲ１の指令に基づいてヒートポンプ運転制御部Ｄにて運転が制御され、ガスエンジン７７により圧縮機７８を作動させて、四方弁８０の切換え操作により空調冷房運転と空調暖房運転とを選択切換え自在に構成され、室内機７１の電子膨張弁７４の開閉制御により、空調要求のある部屋の空調を行うように構成されている。
また、ヒーポン冷媒利用加熱部３３にて循環路３の湯水を加熱するときには、空調暖房運転させるとともに、電子膨張弁７４を制御して、ヒーポン冷媒利用加熱部３３に冷媒を供給するように構成されている。
【００３１】
前記空調冷房運転においては、室内熱交換器７５を蒸発器として機能させて、空調対象空間への供給空気を冷却温調し、室外熱交換器８１を凝縮器として機能させて外気に対して放熱するようにしている。
この空調冷房運転では、低圧側の冷媒の圧力を検出する低圧検出手段８７の検出情報に基づいて、その検出圧力が冷房用の目標圧力になるようにガスエンジン７７の回転速度を検出する回転速度センサ７７ａの検出情報に基づいてガスエンジン７７の回転速度を制御するようにしている。
また、空調冷房運転において、排熱切換機構８６を加熱状態に切り換えることによって、エンジン排熱利用式加熱部３４にて循環路３を通流する湯水を加熱するようにしている。
【００３２】
前記空調冷房運転における冷媒の流れについて説明を加えると、図２の実線矢印に示すように、圧縮機７８から吐出される高圧乾き蒸気冷媒を、四方弁８０を介して室外熱交換器８１に供給し、この室外熱交換器８１において外気との熱交換により凝縮される。
そして、室外熱交換器８１から送出される凝縮工程通過冷媒を、電子膨張弁７４を介して室内熱交換器７５に供給し、この室内熱交換器７５において冷却対象空気との熱交換により蒸発される。
その後、室内熱交換器７５から送出される低圧乾き蒸気冷媒を、四方弁８０およびアキュムレータ７９を介して圧縮機７８の吸入口に戻す。
【００３３】
前記空調暖房運転においては、室内熱交換器７５を凝縮器として機能させて、空調対象空間への供給空気を加熱温調し、室外熱交換器８１を蒸発器として機能させて外気から吸熱するようにしている。
この空調暖房運転では、高圧側の冷媒の圧力を検出する高圧検出手段８８の検出情報に基づいて、その検出圧力が暖房用の目標圧力になるように回転速度センサ７７ａの検出情報に基づいてガスエンジン７７の回転速度を制御するようにしている。
また、この空調暖房運転において、冷媒配管７３を通してヒーポン冷媒利用加熱部３３に高圧冷媒を供給することにより循環路３を通流する湯水を加熱するようにしている。
【００３４】
前記空調暖房運転における冷媒の流れについて説明を加えると、図２の点線矢印に示すように、圧縮機７８から吐出される高圧乾き蒸気冷媒を、四方弁８０を介して室内熱交換器７５およびヒーポン冷媒利用加熱部３３に供給し、室内熱交換器７５においては加熱対象空気との熱交換により凝縮され、ヒーポン冷媒利用加熱部３３においては循環路３の湯水との熱交換により凝縮される。
そして、室内熱交換器７５およびヒーポン冷媒利用加熱部３３から送出される凝縮工程通過冷媒を、電子膨張弁７４を介して室外熱交換器８１に供給し、この室外熱交換器８１において外気との熱交換により蒸発される。
その後、室外熱交換器８１から送出される低圧乾き蒸気冷媒を四方弁８０およびアキュムレータ７９を介して圧縮機７８の吸入口に戻す。
【００３５】
前記貯湯ユニット制御部Ｃとヒートポンプ運転制御部Ｄとは、制御信号を送受信可能に構成され、前記貯湯ユニット制御部Ｃとヒートポンプ運転制御部Ｄとにより制御手段Ｕが構成されている。
前記制御信号としては、ヒートポンプ運転制御部Ｄから送信されるエンジンヒートポンプ式冷暖房装置Ｂが空調運転中であることを示す信号（以下、空調運転中信号と称する場合がある）、前記貯湯ユニット制御部Ｃから送信される、エンジンヒートポンプ式冷暖房装置Ｂの駆動要求（以下、ヒートポンプ駆動要求と称する場合がある）、空調排熱要求等の信号がある。
そして、貯湯ユニット制御部Ｃとヒートポンプ運転制御部Ｄは、図３に示すように、空調対象空間としての各部屋に設置されている空調リモコンＲ１や貯湯リモコンＲ２の指令に基づいて、空調対象空間への空調冷房運転や空調暖房運転などの空調運転、貯湯タンク１内に湯水を貯湯する貯湯運転、外部放熱部２にて放熱する放熱運転、貯湯タンク１内の貯湯量が最低確保量未満のときに給湯する給湯優先運転などの夫々の運転を実行するように構成されている。尚、放熱運転としては、追焚き要求のみがあったときに実行する追焚き運転、暖房要求のみがあったときに実行する暖房運転、追焚き要求及び暖房要求があったときに実行する暖房・追焚き同時運転があり、更に、追焚き運転には、加熱部自動選択運転モード及び補助加熱部単独運転モードがある。
【００３６】
前記エンジンヒートポンプ式冷暖房装置Ｂの運転について説明すると、空調リモコンＲ１から空調冷房要求や空調暖房要求などの空調要求があると、ヒートポンプ運転制御部Ｄがヒートポンプ運転手段Ｋおよび冷却水循環手段Ｌの運転を制御し、空調リモコンＲ１による空調要求に基づいて、ガスエンジン７７により圧縮機７８を作動させて、四方弁８０の切換え操作により空調冷房運転と空調暖房運転とを選択切換え、室内機７１の電子膨張弁７４の開閉制御により、各空調対象空間への空調を切り換えて、ヒートポンプ運転手段Ｋを制御するように構成されている。
すなわち、ヒートポンプ運転制御部Ｄは、空調リモコンＲ１から空調冷房要求があると、空調冷房要求がある部屋に相当する電子膨張弁７４を開状態にして、室内熱交換器７５を蒸発器として機能させて、空調対象空間への供給空気を冷却温調し、室外熱交換器８１を凝縮器として機能させて外気に対して放熱させるように、ヒートポンプ運転手段Ｋを制御して空調冷房運転を実行する。
また、ヒートポンプ運転制御部Ｄは、空調リモコンＲ１から空調暖房要求があると、空調暖房要求がある部屋に相当する電子膨張弁７４を開状態にして、室内熱交換器７５を凝縮器として機能させて、空調対象空間への供給空気を加熱温調し、室外熱交換器８１を蒸発器として機能させて外気から吸熱させるように、ヒートポンプ運転手段Ｋを制御して空調暖房運転を実行する。
また、ヒートポンプ運転制御部Ｄは、エンジンヒートポンプ式冷暖房装置Ｂが停止状態のときに、貯湯ユニット制御部Ｃからヒートポンプ駆動要求信号が送信されると、ヒートポンプ運転手段Ｋを制御して空調暖房運転を実行する。
【００３７】
そして、冷却水循環手段Ｌは、空調冷房運転において、ラジエーター用ポンプＰ４を作動させ、ラジエーター用送風機８４を作動させラジエーター８３にて放熱させる。前記ヒートポンプ運転制御部Ｄは、前記貯湯ユニット制御部Ｃから空調排熱要求信号が送信されると、冷却水路８５を通流する冷却水が加熱用設定温度以上のときで、エンジン排熱利用式加熱部３４にて加熱可能なときには、排熱切換機構８６を加熱状態に切り換えて、冷却水をエンジン排熱利用式加熱部３４に供給するようにしている。
また、空調暖房運転において、ラジエーター用ポンプＰ４を作動させ、ラジエーター用送風機８４を作動させラジエーター８３にて放熱させる。前記ヒートポンプ運転制御部Ｄは、前記貯湯ユニット制御部Ｃから空調排熱要求信号が送信されると、暖房負荷が小さく、かつ、冷却水路８５を通流する冷却水が加熱用設定温度以上のときで、エンジン排熱利用式加熱部３４にて加熱可能なときには、排熱切換機構８６を加熱状態に切り換えて、冷却水をエンジン排熱利用式加熱部３４に供給するようにしている。
【００３８】
次に、貯湯ユニットＡの運転について説明する。
貯湯リモコンＲ２からは、貯湯運転、暖房運転、加熱部自動選択運転モードでの追焚き運転、補助加熱部単独運転モードでの追焚き運転などが指令され、その貯湯リモコンＲ２からの要求指令などに基づいて、貯湯ユニット制御部Ｃが、ヒートポンプ駆動要求信号及び空調排熱要求信号の送信を制御し、並びに、熱源用湯水循環手段Ｅ、循環調整手段Ｆ、給湯操作手段Ｇ、風呂湯水循環手段Ｈ、暖房操作手段Ｊ、補助熱交換部３５の夫々の運転を制御して、貯湯運転、給湯優先運転、暖房運転、加熱部自動選択運転モードでの追焚き運転、および、補助加熱部単独運転モードでの追焚き運転などの夫々の運転を実行するように構成されている。
【００３９】
貯湯ユニット制御部Ｃには、予め、外気温度と浴槽湯水温度とから、エンジンヒートポンプ式冷暖房装置Ｂの冷媒圧力が設定圧力を下回るか否かを判別するための冷媒圧力可否判別条件、外気温度と浴槽湯水温度とから、エンジンヒートポンプ式冷暖房装置Ｂの冷媒を用いたヒーポン冷媒利用加熱部３３により浴槽湯水を加熱する加熱効率が補助加熱部３５により浴槽湯水を加熱する加熱効率を上回るか否かを判別するための効率可否判別条件、及び、ヒーポン冷媒利用加熱部３３による加熱が、加熱開始時の浴槽湯水の温度が低いほど長くなるように設定される沸き上げ期待時間を満足するか否かを、加熱開始時の浴槽湯水温度と外気温度とから判別するための沸き上げ時間可否判別条件が、記憶されている。
【００４０】
そして、貯湯ユニット制御部Ｃは、加熱部自動選択運転モードでの追焚き運転が要求されているときには、外気温センサ９１の検出外気温度、風呂戻りサーミスタ５７の検出浴槽湯水温度、前記冷媒圧力可否判別条件、前記効率可否判別条件及び沸き上げ時間可否判別条件に基づいて、エンジンヒートポンプ式冷暖房装置Ｂの冷媒圧力が設定圧力を下回るか否か、ヒーポン冷媒利用加熱部３３による加熱効率が補助加熱部３５による加熱効率を上回るか否か、及び、ヒーポン冷媒利用加熱部３３による加熱が沸き上げ期待時間を満足するか否かを判別し、エンジンヒートポンプ式冷暖房装置Ｂの冷媒圧力が設定圧力を下回る状態（以下、低冷媒高圧状態と略記する場合がある）、ヒーポン冷媒利用加熱部３３による加熱効率が補助加熱部３５による加熱効率を上回る状態（以下、高ヒーポン加熱効率状態と略記する場合がある）、及び、ヒーポン冷媒利用加熱部３３による加熱が沸き上げ期待時間を満足する状態（以下、沸き上げ時間満足状態と略記する場合がある）の３状態の全てを満足するときは、エンジンヒートポンプ式冷暖房装置Ｂの運転、即ち、ヒーポン冷媒利用加熱部３３による加熱を可と判別し、前記３条件のうちの一つでも満足しないときは、エンジンヒートポンプ式冷暖房装置Ｂの運転、即ち、ヒーポン冷媒利用加熱部３３による加熱を不可と判別する。
【００４１】
そして、貯湯ユニット制御部Ｃは、ヒーポン冷媒利用加熱部３３による加熱を可と判別し、且つ、ヒートポンプ運転制御部Ｄから空調運転中信号が送信されていないときは、ヒートポンプ駆動要求信号を送信して、エンジンヒートポンプ式冷暖房装置Ｂのみを運転させ、ヒーポン冷媒利用加熱部３３による加熱を可と判別したが、ヒートポンプ運転制御部Ｄから空調運転中信号が送信されているときや、ヒーポン冷媒利用加熱部３３による加熱を不可と判別したときは、補助加熱部３５のみを運転する。
【００４２】
又、貯湯ユニット制御部Ｃは、補助加熱部単独運転モードでの追焚き運転が要求されているときは、補助加熱部３５のみを運転する。
【００４３】
ちなみに、冷媒圧力可否判別条件としては、図９において線Ｌｐにて示す条件、効率可否判別条件としては、図９において線Ｌｅにて示す条件、及び、沸き上げ時間可否判別条件としては、図９において線Ｌｔにて示す条件を、マップデータ、近似式等によって記憶させてある。
【００４４】
前記設定圧力として冷媒高圧の上限値に設定して、冷媒圧力可否判別条件は、冷媒高圧を前記設定圧力以下に維持する状態でエンジンヒートポンプ式冷暖房装置Ｂを運転することができる外気温度及び浴槽湯水温度の条件を決めるものであり、図９において、線Ｌｐに対して、外気温度が低い側の領域が、低冷媒高圧状態の領域となる。
【００４５】
効率可否判別条件は、設定量の浴槽の湯水を追焚き設定温度にまで追焚きすることを対象として、ヒーポン冷媒利用加熱部３３にて加熱した時の加熱効率（加熱能力を与えたガスのみのエネルギー量で割ったもの）と、補助加熱部３５にて加熱した時の加熱効率（同じく、加熱能力を与えたガスのみのエネルギー量で割ったもの）とを、追焚き開始時の外気温度及び追焚き開始時の浴槽湯水温度を異ならすことにより試算して、ヒーポン冷媒利用加熱部３３による加熱効率が補助加熱部３５による加熱効率を上回るような、追焚き開始時の外気温度及び追焚き開始時の浴槽湯水温度の条件を決めるものである。
ちなみに、ヒーポン冷媒利用加熱部３３による加熱効率と追焚き開始時の外気温度と追焚き開始時の浴槽湯水温度との関係は、例えば、図１０に示すような関係にあり、補助加熱部３５による加熱効率は、外気温度及び浴槽湯水温度にかかわらず、例えば、０．８程度で略一定であると考えられる。
そして、ヒーポン冷媒利用加熱部３３による加熱効率と補助加熱部３５による加熱効率とを、追焚き開始時の外気温度及び追焚き開始時の浴槽湯水温度によって比較する条件を設定したものが、図９において線Ｌｅで示すものであり、線Ｌｅに対して、外気温が高い側の領域が、高ヒーポン加熱効率状態の領域である。
【００４６】
沸き上げ時間可否判別条件は、設定量の浴槽の湯水を追焚き設定温度にまで追焚きすることを対象として、ヒーポン冷媒利用加熱部３３にて加熱した時の追焚き所要時間を、追焚き開始時の外気温度及び追焚き開始時の浴槽湯水温度を異ならすことにより試算して、試算した追焚き所要時間と、例えば図１１に示すように、追焚き開始時の浴槽湯水温度が低いほど長くなるように設定される沸き上げ期待時間とに基づいて、追焚き所要時間が沸き上げ期待時間よりも短くなるような、追焚き開始時の外気温度及び追焚き開始時の浴槽湯水温度の条件を決めるものである。
そして、追焚き所要時間と沸き上げ期待時間とを、追焚き開始時の外気温度及び追焚き開始時の浴槽湯水温度によって比較する条件を設定したものが、図９において線Ｌｔで示すものであり、線Ｌｔに対して、外気温が高い側の領域が、追焚き所要時間が沸き上げ期待時間を下回る沸き上げ時間満足状態の領域である。
【００４７】
従って、図９において、ハッチングした領域が、低冷媒高圧状態、高ヒーポン加熱効率状態及び沸き上げ時間満足状態の３状態を全て満足する追焚き開始時の外気温度及び追焚き開始時の浴槽湯水温度の領域となる。
【００４８】
前記熱源用湯水循環手段Ｅについて具体的に説明すると、この熱源用湯水循環手段Ｅは、貯湯タンク１に湯水を貯湯するときに、貯湯用運転としての貯湯状態および貯湯初期状態の２つの状態の夫々に切り換えられ、外部放熱部２にて放熱するときに、ヒーポン冷媒利用加熱部３３のみにより追焚き運転を実行するためのＨＰ加熱追焚き循環状態、補助加熱部３５のみにて追焚き運転を実行するための補助加熱追焚き循環状態、暖房循環状態、暖房・追焚き同時循環状態の４つの状態の夫々に切り換えられるように構成されている。
また、貯湯タンク１内の貯湯量が最低確保量未満のときに、一般給湯路１６に給湯するときに、給湯優先状態に切り換えられるように構成されている。
【００４９】
そして、貯湯タンク１に湯水を貯湯するときには、ヒーポン冷媒利用加熱部３３にて加熱された湯水の温度が貯湯許容温度に満たないときには、貯湯初期状態に切り換えて貯湯タンク１内の湯水を循環させ、ヒーポン冷媒利用加熱部３３にて加熱された湯水の温度が貯湯許容温度になると、貯湯状態に切り換えて貯湯タンク１に貯湯するようにしている。
また、外部放熱部２にて放熱するときには、追焚き要求のみの要求があり、追焚きをヒーポン冷媒利用加熱部３３のみにて実行するときは、ＨＰ加熱追焚き循環状態に切り換え、追焚き要求のみの要求があり、追焚きを補助加熱部３５のみにて実行するときは、補助加熱追焚き循環状態に切り換え、暖房要求のみの要求があると、暖房循環状態に切り換え、追焚き要求および暖房要求の両要求があると、暖房・追焚き同時循環状態に切り換えるようにしている。
【００５０】
以下、熱源用湯水循環手段Ｅの夫々の状態について説明を加える。
なお、この熱源用湯水循環手段Ｅの夫々の状態における説明において、上部開閉弁２８、戻し開閉弁２９、取り出し開閉弁６０、ヒートポンプバイパス弁６９、補助用断続開閉弁６３、補助バイパス開閉弁７０、暖房用開閉弁４４および風呂用開閉弁４５の開閉状態については、開弁させる開閉弁のみを記載し、記載していない開閉弁については閉弁させるものとする。
【００５１】
前記貯湯状態においては、補助バイパス弁７０および上部開閉弁２８を開弁させるとともに、循環ポンプＰ１を作動させ、貯湯タンク１内に湯水が温度成層を形成して貯湯させるように、貯湯タンク１の底部から取り出した湯水をヒーポン冷媒利用加熱部３３にて加熱したのち、その温水を補助加熱部３５を迂回して貯湯タンク１の上部に戻すようにしている。
前記貯湯初期状態においては、補助バイパス弁７０、暖房用開閉弁４４および戻し開閉弁２９を開弁させるとともに、循環ポンプＰ１を作動させ、貯湯タンク１の底部から取り出した湯水をヒーポン冷媒利用加熱部３３にて加熱したのち、その湯水を補助加熱部３５を迂回して貯湯タンク１の底部に戻すようにしている。
【００５２】
前記ＨＰ加熱追焚き循環状態においては、取り出し開閉弁６０、補助バイパス開閉弁７０および風呂用開閉弁４５を開弁させるとともに、循環ポンプＰ１を作動させ、図１に示すように、ヒーポン冷媒利用加熱部３３にて加熱された温水の全量を、補助加熱部３５を迂回させて風呂用加熱部４３を通過させてその風呂用加熱部４３にて放熱させたのち、その全量をヒーポン冷媒利用加熱部３３に戻すようにしている。
【００５３】
前記補助加熱追焚き循環状態においては、ヒートポンプバイパス開閉弁６９、補助用断続開閉弁６３および風呂用開閉弁４５を開弁させるとともに、循環ポンプＰ１を作動させ、図４に示すように、補助加熱部３５にて加熱された温水の全量を風呂用放熱部４３を通過させてその風呂用放熱部４３にて放熱させたのち、その全量をヒーポン冷媒利用加熱部３３を迂回して補助加熱部３５に戻すようにしている。
【００５４】
前記暖房・追焚き同時循環状態においては、ヒートポンプバイパス開閉弁６９、補助用断続開閉弁６３、風呂用開閉弁４５および暖房用開閉弁４４を開弁させるとともに、循環ポンプＰ１を作動させ、図５に示すように、補助加熱部３５にて加熱された温水の全量を風呂用放熱部４３および暖房用放熱部４２に分配供給して放熱させたのち、その全量をヒーポン冷媒利用加熱部３３を迂回して補助加熱部３５に戻すようにしている。
【００５５】
前記暖房循環状態においては、ヒートポンプバイパス開閉弁６９、補助用断続開閉弁６３および暖房用開閉弁４４を開弁させるとともに、循環ポンプＰ１を作動させ、補助加熱部３５にて加熱された温水の全量を暖房用放熱部４２に供給して放熱させたのち、その全量をヒーポン冷媒利用加熱部３３を迂回して補助加熱部３５に戻すようにしている。
【００５６】
前記給湯優先状態においては、補助用断続開閉弁６３および上部開閉弁２８を開弁させるとともに、循環ポンプＰ１を作動させ、補助加熱部３５にて加熱された温水を給湯路６に給湯するようにしている。
なお、この給湯優先状態において、ヒーポン冷媒利用加熱部３３にて加熱可能なときには、エンジンヒートポンプ式冷暖房装置Ｂを空調暖房運転させて、冷媒をヒーポン冷媒利用加熱部３３に供給するようにしてもよい。
【００５７】
前記貯湯ユニット制御部Ｃの運転として、貯湯運転、放熱運転、および、給湯優先運転について説明する。
前記貯湯ユニット制御部Ｃが、貯湯要求があると貯湯運転を実行し、かつ、放熱要求があると、貯湯要求の有無にかかわらず放熱運転を実行し、また、貯湯タンク１内の貯湯量が給湯用貯湯量としての最低確保量未満のときに給湯要求があると、放熱要求の有無にかかわらず給湯優先運転を実行するように構成されている。
すなわち、貯湯運転、放熱運転、および、給湯優先運転のうち実行される運転の優先順位が、給湯優先運転、放熱運転、貯湯運転の順になっている。
【００５８】
前記貯湯運転は、加熱要求としての貯湯要求があると、エンジンヒートポンプ式冷暖房装置Ｂを運転させて熱源用湯水循環手段Ｅを貯湯用運転させるＨＰ貯湯運転を実行するように構成されている。
前記ＨＰ貯湯運転について具体的に説明すると、まず、エンジンヒートポンプ式冷暖房装置Ｂを加熱運転として空調暖房運転させて高圧冷媒をヒーポン冷媒利用加熱部３３に供給するととともに、熱源用湯水循環手段Ｅを貯湯初期状態にて運転させ、貯湯タンク１の底部から取り出した湯水を貯湯タンク１の底部に戻す状態でヒーポン冷媒利用加熱部３３にて湯水を加熱させる。
そして、貯湯サーミスタ６６にて検出される温度が貯湯許容温度以上になると、熱源用湯水循環手段Ｅを貯湯初期状態から貯湯状態に切り換えて、貯湯タンク１の底部から取り出し湯水を貯湯タンク１の上部に戻す状態でヒーポン冷媒利用加熱部３３にて加熱させるとともに、貯湯タンク１の上部に貯湯される温水の温度が貯湯設定温度となるように、貯湯サーミスタ６６の検出情報に基づいて循環用水比例バルブ６５の開度を調整するようにしている。
【００５９】
このようにして、貯湯タンク１内の湯水が温度成層を形成しながら貯湯され、貯湯タンク１の貯湯量が貯湯リモコンＲ２などにより設定された目標貯湯量になると、設定時間貯湯タンク１への貯湯を継続したのち、エンジンヒートポンプ式冷暖房装置Ｂの運転を停止させるとともに、循環ポンプＰ１の作動を停止させかつ開弁している開閉弁を閉弁させて熱源用湯水循環手段Ｅの運転を停止させる。
ちなみに、目標貯湯量は、「少」、「中」、「満」のうちのひとつが選択でき、例えば、目標貯湯量として「中」が選択されているときには、中部サーミスタＳ３が貯湯設定温度よりも設定温度だけ低い温度を検出すると、貯湯タンク１の貯湯量が目標貯湯量になっていると検出するようにしている。
【００６０】
前記放熱運転は、加熱部自動選択運転モードでの追焚き要求のみの要求があると、加熱部自動選択運転モードでの追焚き運転を実行し、補助加熱部単独運転モードでの追焚き要求のみの要求があると、補助加熱部単独運転モードでの追焚き運転を実行し、暖房要求のみの要求があると、暖房運転を実行し、追焚き要求および暖房要求の両要求があると、暖房・追焚き同時運転を実行するように構成されている。
【００６１】
加熱部自動選択運転モードでの追焚き運転について具体的に説明すると、加熱部自動選択運転モードでの追焚き運転が指令されると、水位センサの検出水位を読み込んで、その読み込み検出水位が設定水位以上の状態を確認して（従って、検出水位が設定水位未満のときは、水位センサの検出水位が設定水位になるまで湯張りを行う）、風呂ポンプＰ３を作動させて浴槽内の湯水を風呂戻り路１８および風呂往き路１９を通して循環させ、上述のように、外気温センサ９１の検出外気温度、風呂戻りサーミスタ５７の検出浴槽湯水温度、前記冷媒圧力可否判別条件、前記効率可否判別条件及び沸き上げ時間可否判別条件に基づいて、エンジンヒートポンプ式冷暖房装置Ｂの運転、即ち、ヒーポン冷媒利用加熱部３３による加熱の可否を判別し、その判別結果が可のときで、且つ、エンジンヒートポンプ式冷暖房装置Ｂが空調運転中でないときは、熱源用湯水循環手段ＥをＨＰ加熱追焚き循環状態に切り換えると共に、エンジンヒートポンプ式冷暖房装置Ｂを空調暖房運転させ、貯湯サーミスタ６６の検出温度が放熱用設定温度になるように、水比例バルブ６５の開度を調整する、ヒーポン加熱追焚き運転を実行し、一方、エンジンヒートポンプ式冷暖房装置Ｂの運転が不可のときは、熱源用湯水循環手段Ｅを補助加熱追焚き循環状態に切り換えると共に、補助加熱部３５の運転を実行し、貯湯サーミスタ６６による検出温度が放熱用設定温度になるようにファン３７の回転速度およびガス比例弁４０の開度を調整する、補助加熱追焚き運転を実行する。
【００６２】
尚、ヒーポン加熱追焚き運転を実行中は、外気温センサ９１の検出外気温度及び風呂戻りサーミスタ５７の検出浴槽湯水温度に基づいて、エンジンヒートポンプ式冷暖房装置Ｂの冷媒圧力が設定圧力を上回らないかを監視して、冷媒圧力が設定圧力を上回ると、エンジンヒートポンプ式冷暖房装置Ｂを停止させると共に、熱源用湯水循環手段Ｅを補助加熱追焚き循環状態に切り換え、補助加熱部３５を運転させて、補助加熱追焚き運転に切り換える。
【００６３】
そして、風呂用放熱部４３にて浴槽湯水を加熱して追焚きし、風呂戻りサーミスタ５７の検出温度が追焚き設定温度以上になると、風呂ポンプＰ３の作動を停止するとともに、エンジンヒートポンプ式冷暖房装置Ｂを運転しているときはそれを停止させ、補助加熱部３５を運転しているときはそれを停止させ、並びに、熱源用湯水循環手段Ｅの運転を停止させて、放熱停止処理を実行する。
【００６４】
従って、追焚き開始時の外気温度及び追焚き開始時の浴槽湯水温度が、ヒーポン冷媒利用加熱部３３による加熱効率が補助加熱部３５による加熱効率を上回り、且つ、ヒーポン冷媒利用加熱部３３による加熱が沸き上げ期待時間を満足する範囲のときは、冷媒高圧を上限値以下に維持した状態で、エンジンヒートポンプ式冷暖房装置Ｂを過負荷状態になることなく適切に運転させ、一方、冷媒高圧を上限値以下に維持できないとき、又は、ヒーポン冷媒利用加熱部３３による加熱効率が補助加熱部３５による加熱効率以下のとき、又は、ヒーポン冷媒利用加熱部３３による加熱が沸き上げ期待時間を満足することができない範囲のときは、エンジンヒートポンプ式冷暖房装置Ｂを運転させずに、補助加熱部３５を運転させるのである。
【００６５】
補助加熱部単独運転モードでの追焚き運転について具体的に説明すると、補助加熱部単独運転モードでの追焚き運転が指令されると、水位センサの検出水位を読み込んで、その読み込み検出水位が設定水位以上の状態を確認し（従って、検出水位が設定水位未満のときは、水位センサの検出水位が設定水位になるまで湯張りを行う）、風呂ポンプＰ３を作動させて浴槽内の湯水を風呂戻り路１８および風呂往き路１９を通して循環させて、補助加熱追焚き運転を実行する。
そして、風呂用放熱部４３にて浴槽湯水を加熱して追焚きし、風呂戻りサーミスタ５７の検出温度が追焚き設定温度以上になると、風呂ポンプＰ３の作動を停止するとともに、補助加熱部３５を停止させ、並びに、熱源用湯水循環手段Ｅの運転を停止させて、放熱停止処理を実行する。
【００６６】
前記放熱運転における暖房運転について具体的に説明すると、熱源用湯水循環手段Ｅを暖房循環状態に切り換え、かつ、貯湯サーミスタ６６による検出温度が暖房用設定温度になるようにファン３７の回転速度およびガス比例弁４０の開度を調整するとともに、暖房ポンプＰ２を作動させて暖房端末からの熱媒を暖房戻り路４６および暖房往き路４７を通して循環させ、暖房用放熱部４２にて熱媒を加熱して暖房端末に供給するようにしている。
【００６７】
前記放熱運転における暖房・追焚き同時運転について具体的に説明すると、熱源用湯水循環手段Ｅを暖房・追焚き同時循環状態に切り換え、かつ、貯湯サーミスタ６６による検出温度が暖房・追焚き同時用設定温度になるようにファン３７の回転速度およびガス比例弁４０の開度を調整するとともに、風呂ポンプＰ３を作動させて浴槽内の湯水を風呂戻り路１８および風呂往き路１９を通して循環させ、かつ、暖房ポンプＰ２を作動させて暖房端末からの熱媒を暖房戻り路４６および暖房往き路４７を通して循環させる。
そして、浴槽湯水を追焚きするとともに、暖房端末に暖房用放熱部４２にて加熱された熱媒を供給するようにしている。
【００６８】
前記給湯優先運転は、熱源用湯水循環手段Ｅを給湯優先状態に切り換えて、補助加熱部３５を運転させ、補助加熱部３５にて加熱された湯水を上部接続路２５から給湯路６に給湯しながら、給湯設定温度、貯湯出口サーミスタ１３および給水サーミスタ９の検出情報に基づいて、給湯する湯水の温度が給湯設定温度になるようにミキシングバルブ８の開度を調整するとともに、ミキシングサーミスタ１４の検出情報に基づいて、その検出温度と給湯設定温度との偏差に基づいてミキシングバルブ８の開度を微調整することにより、給湯設定温度の湯水を給湯するようにしている。
【００６９】
ちなみに、浴槽に湯張りを行うときには、貯湯タンク１内に貯湯されている湯水を給湯路６に給湯し、給湯優先運転と同様に、湯張り設定温度、貯湯出口サーミスタ１３および給水サーミスタ９の検出情報に基づいて、給湯する湯水の温度が湯張り設定温度になるようにミキシングバルブ８の開度を調整するとともに、ミキシングサーミスタ１４の検出情報に基づいて、その検出温度と湯張り設定温度との偏差に基づいてミキシングバルブ８の開度を微調整するとともに、湯張り電磁弁２２を開弁させ、ミキシングバブル８にて湯張り設定温度に調整された湯水を風呂戻り路１８および風呂往き路１９の両路から浴槽に供給し、浴槽内に湯張り設定水位にまで湯水が供給されると、湯張り電磁弁２２を閉弁させるようにしている。
【００７０】
前記貯湯ユニットＡの制御動作について、図６〜８のフローチャートに基づいて説明する。
エンジンヒートポンプ式冷暖房システムが運転状態において、貯湯タンク１の貯湯量が最低確保量未満の状態で給湯栓が開操作されて給湯中となると、給湯優先運転を実行し  （ステップ１〜３）、貯湯タンク１の貯湯量が最低確保量以上であるか、または、給湯中でないときに、給湯優先運転を実行していると、補助加熱部３５の運転および循環ポンプＰ１の作動を停止させて給湯優先運転停止処理を実行する（ステップ４）。
そして、暖房要求や追焚き要求などの放熱要求があると、放熱運転を実行し、貯湯要求があると、貯湯運転を実行する（ステップ５〜８）。
【００７１】
前記放熱運転の制御動作について、図７のフローチャートに基づいて説明を加えると、貯湯タンク１の貯湯量が最低確保量未満であって、かつ、給湯栓が開操作されて給湯中であると、給湯優先運転を実行する（ステップ１１〜１３）。
貯湯タンク１の貯湯量が最低確保量以上であるか、または、給湯中でないときに、給湯優先運転を実行していると、補助加熱部３５の運転および循環ポンプＰ１の作動を停止させて給湯優先運転停止処理を実行する（ステップ１４）。
【００７２】
そして、追焚き要求がありかつ暖房要求がないときには、追焚き運転を実行し（ステップ１５〜１７）、追焚き要求および暖房要求の両要求があるときには、暖房・追焚き同時運転を実行し（ステップ１５，１６，１８）、追焚き要求がなくかつ暖房要求があるときには、暖房運転を実行する（ステップ１５，１９，２０）。
このようにして、追焚き要求および暖房要求のいずれかまたは両方が要求されているかによって、その要求に応えるべく、追焚き運転、暖房運転、暖房・追焚き同時運転の夫々の運転を実行し、追焚き要求および暖房要求の要求が満たされて要求が完了すると、熱源用湯水循環手段Ｅおよび加熱手段４の運転を停止させる放熱停止処理を実行する（ステップ２１，２２）。
【００７３】
前記追焚き運転の制御動作について、図８のフローチャートに基づいて説明を加えると、水位センサの検出水位を読み込んでその読み込み検出水位が設定水位以上の状態を確認して（従って、読み込み検出水位が設定水位未満のときは、水位センサの検出水位が設定水位になるまで湯張りを実行する）、風呂ポンプＰ３を作動させる（ステップ３１〜３３）。
加熱部自動選択運転モードでの追焚き運転が指令されているときは、外気温センサ９１の検出外気温度及び風呂戻りサーミスタ５７の検出浴槽湯水温度を読み込んで、エンジンヒートポンプ式冷暖房装置Ｂの運転の可否を判別し、運転が可の場合は、エンジンヒートポンプ式冷暖房装置Ｂが空調運転中か否かを判別し、運転中でないときは、ヒーポン加熱追焚き運転を実行し、以降、エンジンヒートポンプ式冷暖房装置Ｂが空調運転中とならないか、並びに、外気温センサ９１の検出外気温度及び風呂戻りサーミスタ５７の検出浴槽湯水温度を読み込んで、エンジンヒートポンプ式冷暖房装置Ｂの冷媒圧力が設定圧力を上回らないかを監視しながら、空調運転中とはならず、且つ、冷媒圧力が設定圧力を上回らない状態で、ヒーポン加熱追焚き運転を継続して、風呂戻りサーミスタ５７の検出浴槽湯水温度が追焚き設定温度に達すると、リターンする（ステップ３４〜４０）。
【００７４】
ステップ３４で補助加熱部単独運転モードでの追焚き運転が指令されていると判別したとき、又は、ステップ３６でエンジンヒートポンプ式冷暖房装置Ｂの運転が不可と判別したとき、又は、ステップ３７でエンジンヒートポンプ式冷暖房装置Ｂが空調運転中であると判別したとき、又は、ステップ３８でエンジンヒートポンプ式冷暖房装置Ｂの冷媒圧力が設定圧力を上回っていると判別したときは、補助加熱追焚き運転を実行し（ステップ４１）、以降はその補助加熱追焚き運転を継続して、風呂戻りサーミスタ５７の検出浴槽湯水温度が追焚き設定温度に達すると、リターンする（ステップ４２）。
【００７５】
〔別実施形態〕
次に別実施形態を説明する。
【００７６】
（イ）  冷媒圧力可否判別条件、効率可否判別条件及び沸き上げ時間可否判別条件夫々の具体例は、上記の実施形態において例示したものに限定されるものではなく、エンジンヒートポンプ式冷暖房装置Ｂの性能や、補助加熱部３５の性能等に応じて適宜設定可能である。
【００７７】
（ロ）  上記の実施形態においては、効率可否判別条件としては、設定量の浴槽の湯水を追焚き設定温度にまで追焚きすることを対象として追焚き開始時の外気温度及び追焚き開始時の浴槽湯水温度から決まる加熱効率が、ヒーポン冷媒利用加熱部３３の方が補助加熱部３５を上回るか否かを判別することができるように設定する場合について例示したが、効率可否判別条件の設定の仕方は、これに限定されるものではない。
例えば、効率可否判別条件として、外気温度及び浴槽湯水温度から、瞬時の加熱効率がヒーポン冷媒利用加熱部３３の方が補助加熱部３５を上回るか否かを判別することができるように設定して、追焚き運転の実行中は、周期的に又は連続的に、外気温度及び浴槽湯水温度を検出して、前記効率可否判別条件により、時時の加熱効率がヒーポン冷媒利用加熱部３３の方が補助加熱部３５を上回るか否かを判別して、その判別結果によりヒーポン冷媒利用加熱部３３による加熱か補助加熱部３５による加熱かを選択して実行するようにしても良い。
【００７８】
（ハ）  補助加熱部３５としては、上記の実施形態において例示した如き、熱源としてガス燃焼式のバーナ３６を備えたもの以外に、液体燃料燃焼式のバーナを備えたものや、電気ヒータを備えたものを用いることができる。
又、ヒートポンプ式加熱部としては、上記の実施形態において例示した如き、エンジンヒートポンプ式冷暖房装置Ｂ以外に、電気モータにて駆動するヒートポンプ式冷暖房装置を用いることができる。
【００７９】
（ニ）  貯湯タンク１、その貯湯タンク１に貯湯するための構成、及び、貯湯タンク１の湯を給湯するための構成などを省略して、単に、浴槽の湯水を追焚きする構成のみを備えた風呂装置にも、本発明を適用することができる。
【図面の簡単な説明】
【図１】貯湯ユニットの構成及びヒートポンプ加熱追焚き運転での湯水の流れを示す図
【図２】エンジンヒートポンプ式冷暖房装置の構成を示す図
【図３】エンジンヒートポンプ式冷暖房給湯システムの制御構成を示すブロック図
【図４】貯湯ユニットにおける補助加熱追焚き運転での湯水の流れを示す図
【図５】貯湯ユニットにおける暖房・追焚き同時運転での湯水の流れを示す図
【図６】貯湯ユニットの制御動作のフローチャートを示す図
【図７】放熱運転における制御動作のフローチャートを示す図
【図８】追焚き運転における制御動作のフローチャートを示す図
【図９】エンジンヒートポンプ式冷暖房装置の運転可否を判別するための条件を示す図
【図１０】ヒエンジンヒートポンプ式冷暖房装置による加熱効率と追焚き開始時の外気温度と追焚き開始時の浴槽湯水温度との関係を示す図
【図１１】沸き上げ期待時間と追焚き開始時の浴槽湯水温度との関係を示す図
【符号の説明】
４    加熱手段
３５  補助加熱部
４３  放熱部
５７  浴槽温検出手段
９１  外気温検出手段
Ｂ    ヒートポンプ式加熱部
Ｅ    熱源用湯水循環手段
Ｈ    浴槽用湯水循環手段
Ｒ２  指令手段
Ｕ    制御手段
【図１】
0004194220.tif 000002
【図２】
0004194220.tif 000003
【図３】
0004194220.tif 000004
【図４】
0004194220.tif 000005
【図５】
0004194220.tif 000006
【図６】
0004194220.tif 000007
【図７】
0004194220.tif 000008
【図８】
0004194220.tif 000009
【図９】
0004194220.tif 000010
【図１０】
0004194220.tif 000011
【図１１】
0004194220.tif 000012